(57)【要約】【課題】多様な内容の表示に対応しつつ、最低限の表示を行うことが可能な期間をより効率良く延長することが可能な情報表示装置を提供する。【解決手段】情報表示装置は、第１表示部（１２）と、第１表示部よりも消費電力の大きい第２表示部（２２）と、第１の表示部による表示動作と前記第２の表示部による表示動作の切り替えを行うことで一方による表示動作を可能とさせる第１制御部（１１）及び第２制御部（２１）と、少なくとも第１表示部の動作に利用される電力を蓄える蓄電部（３１１）を有し、第１表示部及び第２表示部に電力を供給する電力供給部（３１）と、第１蓄電部を充電可能に設けられた発電部（３２）と、を備える。【選択図】図２
2018044995.tif 000002
【特許請求の範囲】
【請求項１】
第１の表示部と、
前記第１の表示部よりも消費電力の大きい第２の表示部と、
前記第１の表示部による表示動作と前記第２の表示部による表示動作の切り替えを行うことで一方による表示動作を可能とさせる表示切替部と、
少なくとも前記第１の表示部の動作に利用される電力を蓄える第１の蓄電部を有し、前記第１の表示部及び前記第２の表示部に電力を供給する電力供給部と、
前記第１の蓄電部を充電可能に設けられた発電部と、
を備えることを特徴とする情報表示装置。
【請求項２】
前記発電部には、前記第１の表示部により表示動作が行われる期間に前記第１の蓄電部に通電可能とされる充電切替部が設けられていることを特徴とする請求項１記載の情報表示装置。
【請求項３】
前記充電切替部は、通電可能か否かの切替制御に係る信号が入力されない状態では通電可能状態となるスイッチング素子であることを特徴とする請求項２記載の情報表示装置。
【請求項４】
前記表示切替部は、前記第１の表示部が表示動作を行う場合に前記第２の表示部による表示動作を停止させることを特徴とする請求項１〜３の何れか一項に記載の情報表示装置。
【請求項５】
前記表示切替部は、前記第１の表示部と前記第２の表示部のうち何れかにより選択的に表示動作を行わせることを特徴とする請求項４記載の情報表示装置。
【請求項６】
前記第１の表示部による表示動作と前記第２の表示部による表示動作とを制御する制御部を備えることを特徴とする請求項１〜５の何れか一項に記載の情報表示装置。
【請求項７】
前記制御部は、
前記第１の表示部の表示動作を制御する第１の制御部と、前記第２の表示部の表示動作を制御する第２の制御部と、を有し、
前記第１の制御部により前記第１の表示部に表示動作を行わせる場合には、前記第２の制御部の動作を停止して、前記第２の表示部による表示動作を停止させる、
ことを特徴とする請求項６記載の情報表示装置。
【請求項８】
前記第１の制御部は、前記第１の表示部に所定の内容の表示動作を行わせ、
当該所定の内容の表示動作の制御に係る前記第１の制御部の消費電力は、前記第２の表示部により前記所定の内容に対応する内容の表示動作を行わせる場合における前記第２の制御部の制御動作に係る消費電力よりも小さい
ことを特徴とする請求項７記載の情報表示装置。
【請求項９】
前記電力供給部は、外部電源から電力供給を受けているか否かを検出する電力入力検出部を備え、
前記表示切替部は、前記第１の表示部による表示動作中に当該電力入力検出部が前記外部電源からの電力供給を受けていることを検出した場合、前記第２の表示部による表示動作に切り替える
ことを特徴とする請求項１〜８の何れか一項に記載の情報表示装置。
【請求項１０】
外部操作を受け付ける操作受付部を備え、
前記表示切替部は、前記操作受付部により受け付けられた操作内容に基づいて前記第１の表示部と前記第２の表示部とによる表示動作を切り替える
ことを特徴とする請求項１〜９の何れか一項に記載の情報表示装置。
【請求項１１】
前記電力供給部は、
外部電源から電力供給を受けることが可能であり、
当該外部電源から供給された電力により前記第１の蓄電部を充電可能とするか否かを切り替える充電選択部を備える
ことを特徴とする請求項１〜１０の何れか一項に記載の情報表示装置。
【請求項１２】
前記電力供給部は、外部電源から電力供給を受けることが可能であり、
前記第１の蓄電部は、前記外部電源から電力供給を受けている間には、当該外部電源からの入力電圧よりも前記発電部による起電力が大きい場合に、当該発電部の発電した電力により充電される
ことを特徴とする請求項１〜１０の何れか一項に記載の情報表示装置。
【請求項１３】
少なくとも前記第２の表示部の動作に利用される電力を蓄える第２の蓄電部を備え、
前記電力供給部は、外部電源から電力供給を受けることが可能であり、
前記第２の蓄電部は、前記外部電源から供給された電力により充電可能である
ことを特徴とする請求項１〜１０の何れか一項に記載の情報表示装置。
【請求項１４】
前記電力供給部は、前記第１の蓄電部が蓄えている電力を前記第２の蓄電部に供給する第１の送電経路を有することを特徴とする請求項１３記載の情報表示装置。
【請求項１５】
前記電力供給部は、前記第１の蓄電部の出力電圧が前記第２の蓄電部の出力電圧よりも所定電位差以上高い場合に、前記第１の蓄電部が蓄えている電力を前記第２の蓄電部に供給して当該第２の蓄電部を充電させる電位差判定部を有することを特徴とする請求項１４記載の情報表示装置。
【請求項１６】
前記電力供給部は、前記第１の蓄電部の出力電圧を検出する電圧検出部を有し、当該電圧検出部の検出する電圧が所定の下限電圧以上である場合に、前記第１の蓄電部が蓄えている電力を前記第２の蓄電部に供給して前記第２の蓄電部を充電可能とすることを特徴とする請求項１４又は１５記載の情報表示装置。
【請求項１７】
前記電力供給部は、前記第２の表示部による表示動作が停止されている期間に前記第１の蓄電部が蓄えている電力を前記第２の蓄電部に供給して当該第２の蓄電部を充電することを特徴とする請求項１４〜１６の何れか一項に記載の情報表示装置。
【請求項１８】
前記電力供給部は、前記第２の蓄電部が蓄えている電力を前記第１の蓄電部に供給する第２の送電経路を有することを特徴とする請求項１３〜１７の何れか一項に記載の情報表示装置。
【請求項１９】
前記電力供給部は、前記第２の蓄電部の出力電圧が前記第１の蓄電部の出力電圧及び前記発電部による起電力よりも大きい場合に、前記第２の蓄電部の蓄えている電力を前記第１の蓄電部に供給して当該第１の蓄電部を充電することを特徴とする請求項１８記載の情報表示装置。
【請求項２０】
前記発電部は、入射光量に応じた発電を行う発電パネルを備えることを特徴とする請求項１〜１９の何れか一項に記載の情報表示装置。
【請求項２１】
前記第１の表示部及び前記第２の表示部は、デジタル表示を行う表示画面をそれぞれ有することを特徴とする請求項１〜２０の何れか一項に記載の情報表示装置。
【請求項２２】
前記第１の表示部の表示画面と、前記第２の表示部の表示画面とは積層されていることを特徴とする請求項２１記載の情報表示装置。
【発明の詳細な説明】
【技術分野】
【０００１】
この発明は、情報表示装置に関する。
【背景技術】
【０００２】
従来、液晶などを用いた表示画面に情報を表示出力する電子端末などの情報表示装置がある。表示技術の発展に従って種々の内容を低消費電力で表示可能となって来ている。
【０００３】
しかしながら、電子腕時計などの長時間継続して利用される表示画面は、通常の電子機器における多様な表示に用いられる表示画面と比較して、更に消費電力が非常に小さい。従って、このような長時間表示に用いられる省電力表示画面に係る構成と、多様な表示に用いられる多機能表示画面に係る構成とを単一の表示画面で両立させるのは困難であるという問題がある。これに対し、特許文献１には、省電力表示画面と多機能表示画面とを積層して、低消費電力で表示する場合には上層側の省電力表示画面に表示を行わせ、多機能表示を行う場合には、省電力表示画面を透過させて下層側の多機能表示画面に表示を行わせる技術が開示されている。
【先行技術文献】
【特許文献】
【０００４】
【特許文献１】国際公開第２０１４／１１９３９５号
【発明の概要】
【発明が解決しようとする課題】
【０００５】
しかしながら、たとえ省電力表示画面を設けて消費電力を低減させても、多機能表示画面への表示動作による電力消費により供給可能な電力量が不足すると、省電力表示画面に表示を行うことが困難になるという課題がある。
【０００６】
この発明の目的は、多様な内容の表示に対応しつつ、最低限の表示を行うことが可能な期間をより効率良く延長することが可能な情報表示装置を提供することにある。
【課題を解決するための手段】
【０００７】
上記目的を達成するため、本発明は、
第１の表示部と、
前記第１の表示部よりも消費電力の大きい第２の表示部と、
前記第１の表示部による表示動作と前記第２の表示部による表示動作の切り替えを行うことで一方による表示動作を可能とさせる表示切替部と、
少なくとも前記第１の表示部の動作に利用される電力を蓄える第１の蓄電部を有し、前記第１の表示部及び前記第２の表示部に電力を供給する電力供給部と、
前記第１の蓄電部を充電可能に設けられた発電部と、
を備えることを特徴とする情報表示装置である。
【発明の効果】
【０００８】
本発明に従うと、多様な内容の表示に対応しつつ、最低限の表示を行うことが可能な期間をより効率良く延長することが出来るという効果がある。
【図面の簡単な説明】
【０００９】
【図１】本発明の情報表示装置の第１実施形態である電子機器の機能構成を示すブロック図である。
【図２】第１実施形態の電子機器の電力供給経路を示す図である。
【図３】第１実施形態の電子機器で実行される省電力モード移行処理の制御手順と、省電力モード開始処理の制御手順とをそれぞれ示すフローチャートである。
【図４】第１実施形態の電子機器で実行される通常モード移行処理の制御手順と、通常モード開始処理の制御手順とをそれぞれ示すフローチャートである。
【図５】第２実施形態の電子機器における電力供給経路を説明する図である。
【図６】第２実施形態の電子機器における省電力モード移行処理及び通常モード開始処理の制御手順を示すフローチャートである。
【図７】第２実施形態の電子機器における電力供給経路の変形例を示す図である。
【図８】第３実施形態の電子機器の機能構成を示すブロック図及び電力供給経路について説明する図である。
【図９】第３実施形態の電子機器の電力供給経路に係る変形例について説明する図である。
【図１０】第４実施形態の電子機器の機能構成を示すブロック図と、電子機器の電力供給経路についての説明図である。
【図１１】第５実施形態の電子機器の機能構成を示すブロック図と、電子機器の電力供給経路についての説明図である。
【図１２】第５実施形態の電子機器で実行される高描画モード処理の制御手順、及び低消費電力表示処理の制御手順を、それぞれ示すフローチャートである。
【図１３】第６実施形態の電子機器の機能構成を示すブロック図、及び電力供給経路について説明する図である。
【図１４】第７実施形態の電子機器の機能構成を示すブロック図、及び電力供給経路について説明する図である。
【図１５】第８実施形態の電子機器の機能構成を示すブロック図、及び電力供給経路について説明する図である。
【図１６】第９実施形態の電子機器の機能構成を示すブロック図、及び電力供給経路について説明する図である。
【図１７】第１０実施形態の電子機器の機能構成を示すブロック図、及び電力供給経路について説明する図である。
【図１８】第１１実施形態の電子機器の機能構成を示すブロック図、及び電力供給経路について説明する図である。
【図１９】第１２実施形態の電子機器の機能構成を示すブロック図、及び電力供給経路について説明する図である。
【発明を実施するための形態】
【００１０】
以下、本発明の実施の形態を図面に基づいて説明する。
［第１実施形態］
図１は、本発明の情報表示装置の第１実施形態である電子機器１の機能構成を示すブロック図である。
この電子機器１は、２つの表示画面が積層された情報表示装置であって、例えば、腕に装着可能な携帯型装置である。
【００１１】
電子機器１は、第１制御部１１（第１の制御部）と、第１表示部１２（第１の表示部）と、第２制御部２１（第２の制御部）と、第２表示部２２（第２の表示部）と、ＲＴＣ１５（リアルタイムクロック）と、電力供給部３１と、発電部３２と、操作受付部４１と、機能動作部４２などを備える。
【００１２】
第１制御部１１は、電子機器１の制御動作を行う。第１制御部１１は、表示動作を第１表示部１２に行わせる表示制御を行う。第１制御部１１は、ここでは、主に日時表示動作を第１表示部１２に行わせる動作制御を行う。制御可能な内容は限定的であって良く、例えば、機能動作部４２のうち一部又は全部の起動、動作制御が出来ないものであっても良い。第１制御部１１は、サブＣＰＵ１１１（Central Processing Unit）と、ＲＡＭ１１２（Random Access Memory）と、記憶部１１３などを備え、ＲＴＣ１５や低周波数のクロック信号などに応じて最低限呼び出されて動作する。
【００１３】
第１表示部１２は、表示画面１２１と駆動回路１２２とを備え、限定的な情報のデジタル表示を行う。表示画面１２１としては、例えば、セグメント方式のモノクロ液晶表示が用いられ、特に、ＰＮ液晶（高分子ネットワーク型液晶）などが含まれ得る。この表示画面１２１のセグメントは、少なくとも日時の表示が可能に配置されている。表示動作時（特に、日時表示動作を行っている場合）の消費電力は、セグメントの本数などに応じて定まり、変動は小さい。
【００１４】
第２制御部２１は、電子機器１の通常動作全般を統括制御し、各種機能動作に係る制御処理を行う。第２制御部２１は、メインＣＰＵ２１１（Central Processing Unit）と、ＲＡＭ２１２（Random Access Memory）と、記憶部２１３などを備える。
【００１５】
メインＣＰＵ２１１は、第２表示部２２により表示動作を行わせる表示動作制御を行う。また、メインＣＰＵ２１１は、機能動作部４２の動作を制御して各種機能に係る動作制御を行う。メインＣＰＵ２１１は、起動時などにＲＴＣ１５又はサブＣＰＵ１１１から取得された現在日時に基づいて高周波数のクロック信号を計数して現在日時を高精度で計数する。
ＲＡＭ２１２は、メインＣＰＵ２１１に作業用のメモリ空間を提供し、一時データを記憶する。
記憶部２１３は、フラッシュメモリなどの書き換え可能な不揮発性メモリやＲＯＭなどを備え、設定データなどを記憶する。
【００１６】
第２表示部２２は、表示画面２２１と駆動回路２２２とを備え、各種情報をデジタル表示する。表示画面２２１としては、例えば、ドットマトリクス式の液晶表示を行うものが用いられ、各種情報の表示をフルカラーで行うことが可能となっている。駆動回路２２２は、メインＣＰＵ２１１（第２制御部２１）の制御に従って表示画面２２１に表示を行わせる。第２表示部２２の消費電力は、輝度調整が可能な場合には平均的に変化し得るが、第２表示部２２の通常の表示動作（秒単位で更新される日時表示動作など）に係る消費電力は、第１表示部１２における日時表示動作に係る消費電力（更には、第１表示部１２の最大消費電力）よりも大きい。また、第１制御部１１が第１表示部１２に日時表示を行わせる場合の第１制御部１１の消費電力は、第２制御部２１が第２表示部２２に日時表示を行わせる場合の第２制御部２１の消費電力よりも小さい。
【００１７】
第１制御部１１と第２制御部２１は、同時に起動することも可能であるが、通常、第２制御部２１のシャットダウン時やスリープ時（まとめて停止時）に第１制御部１１が呼び出されて起動され、第１制御部１１は、第２制御部２１を再起動させ、又は通常動作に復帰させた後に休止する。
これら第１制御部１１及び第２制御部２１が表示切替部及び制御部を構成する。
【００１８】
ＲＴＣ１５は、日時を計数して保持し、第１制御部１１や第２制御部２１に日時情報を提供する。ＲＴＣ１５は、第１制御部１１とともにマイコンの基板上にまとめて配置され得るが、第１制御部１１の動作が停止した状況であっても別個に継続的に電力供給がなされる構成となっている。ＲＴＣ１５としては、専用の低消費電力のチップが好ましく用いられるが、日時がカウント可能なハードウェア構成であれば良い。
【００１９】
電力供給部３１は、蓄電部３１１（第１の蓄電部）を備え、第１制御部１１や第２制御部２１などの各部の動作に用いられる電力を蓄えて出力する。蓄電部３１１は、ここでは、充電可能な二次電池であり、外部電源及び発電部３２から供給された電力は、この蓄電部３１１に蓄えられて、当該蓄電部３１１の蓄電量に応じた出力電位で各部に出力供給される。蓄電部３１１としては、小型軽量且つ蓄電量が大きく蓄電残量が減っても出力電圧がなるべく維持されるものが好ましいが、蓄電部３１１には、容量の大きいキャパシタ（電解コンデンサ、電気二重層コンデンサなど）が用いられても良い。外部電源との接続は、特には限られないが、ＵＳＢ（Universal Serial Bus）などの所定の規格又は専用の有線ケーブルなどによって行われる。これにより、予め定められた電圧（入力電圧）で安定して電力が供給される。ユーザが電子機器１を携帯して利用する場合などには、通常、この有線ケーブルがとり外されて、蓄電部３１１に蓄えられた電力が用いられて動作することになる。
【００２０】
発電部３２は、発電を行って得られた電力を整流して直接第１制御部１１に、又は電力供給部３１に送る。
発電部３２は、例えば、ソーラパネル３２１（発電パネル）を備え、入射光量に応じた起電力で（以下、発電起電力と記す）発電を行う。ソーラパネル３２１の発電起電力の出力側には、接続スイッチ３２２（図２参照、充電切替部）が設けられて、ソーラパネル３２１からの電力供給可否が切り替えられる。ソーラパネル３２１の発電起電力は、一日所定時間十分な光量が入射すれば、第１制御部１１による第１表示部１２への表示動作を維持する電力を充足する程度のものであり、通常、第２制御部２１による第２表示部２２への通常動作を維持可能な時間は、限られる（例えば、数時間〜一日程度）。
なお、ソーラパネル３２１の起電力に応じた電流の出力可否の切替に係る接続スイッチ３２２は、ソーラパネル３２１と接地面との間に設けられていても良い。
【００２１】
操作受付部４１は、ユーザの入力操作などの外部からの命令（外部操作）を受け付けて入力信号として第１制御部１１や第２制御部２１に出力する。操作受付部４１には、一又は複数の押しボタンスイッチなどが含まれる。操作受付部４１は、これら押しボタンスイッチの押下動作を検出して当該押下動作の種別に応じた入力信号を出力し、第１制御部１１や第２制御部２１は、当該入力信号を検出することで押下動作の種別に応じた制御処理を行う。
【００２２】
機能動作部４２は、その他の各種機能に係る動作を行う。機能動作部４２としては、例えば、外部機器と無線通信（近距離無線通信など）を行うための通信部、測位衛星からの電波を受信して現在日時や位置を取得する演算処理を行う衛星電波受信処理部、電子機器１の利用状態を判別するための加速度センサ及び／又は傾斜センサや、所定の報知動作（アラーム報知や振動報知など）を行うためのビープ音や振動を発生させる報知動作部などが含まれ得る。
【００２３】
次に、本実施形態の動作状態について説明する。
図２（ａ）は、本実施形態の電子機器１の電力供給経路を示す図である。
本実施形態の電子機器１では、第２制御部２１の制御動作に応じて第２表示部２２に表示動作を行わせながら各機能動作を制限なく行う通常動作モードと、第１制御部１１の制御動作に基づいて第１表示部１２に日時の表示動作を行わせる省電力動作モードとの間で切り替えが可能となっている。従って、第２制御部２１が通常の動作、特に、日時の表示制御（所定の内容の表示動作の制御）を行う場合の消費電力の平均的な値（及び最大消費電力）は、第１制御部１１が省電力動作（日時の表示制御）を行う場合の消費電力の平均的な値（及び最大消費電力）よりも遥かに大きい。動作モードの切り替えは、例えば、操作受付部４１の受け付けた所定の入力動作（操作）の内容に基づいて行われる。
【００２４】
電子機器１の動作は、電力供給部３１の蓄電部３１１に蓄電された電力により行われ、外部電源に接続されている場合には、消費電力分の電力が随時外部電源から蓄電部３１１に供給される。外部電源に接続されていない場合、第２制御部２１の動作時には、蓄電部３１１の蓄える電力が消費されていく。第１制御部１１の動作時（即ち、第１の表示部により表示動作が行われる期間）には、接続スイッチ３２２がオンされて、発電部３２のソーラパネル３２１が発電した電力が消費電力分の電力が蓄電部３１１に供給される。接続スイッチ３２２と蓄電部３１１との間にはダイオード３２３が設けられ、暗所などで発電部３２が十分な発電を行えない場合や、蓄電部３１１が既に満充電である場合に、蓄電部３１１から発電部３２への電流が逆流するのを防止する。
【００２５】
上述のように、第２制御部２１は、省電力動作モードに移行する場合に、接続スイッチ３２２とともに電力供給スイッチ３１２をオンして、第１制御部１１への電力供給を開始させる。第２制御部２１は、第２表示部２２の表示動作を停止させた後、制御動作を停止（シャットダウン又はスタンバイ）することで消費電力を削減する。
接続スイッチ３２２（充電切替部）、電力供給スイッチ３１２は、それぞれ、ＦＥＴ（電界効果コンデンサ）などがスイッチング素子として用いられ、ノーマリーオンとされることで、第２制御部２１によりオンされた後、当該第２制御部２１の制御動作が停止している間にはオン状態（通電可能状態）に保たれる。
【００２６】
第１制御部１１は、起動されると第１表示部１２をオンして表示動作を開始させる。ここでは、第１表示部１２の表示画面が第２表示部２２の表示画面より上部に積層され、第１表示部１２の表示画面を不透明とすることで、第２表示部２２の表示が視認出来なくなる。第１制御部１１は、操作受付部４１への所定の入力動作（操作内容）が検出されると、第２制御部２１を起動させる。そして、第２制御部２１が第２表示部２２を起動させて表示画面への表示動作が開始されるのに合わせて第１表示部１２の表示動作を中止し、表示画面を透明として第２表示部２２の表示画面をユーザが視認可能とする。
【００２７】
この場合、暗所などにおいて発電部３２の発電起電力が不十分であり、且つ外部電源に接続されている場合には、外部電源からの入力電圧の方が高くなるので、蓄電部３１１にはそのまま外部電源から電力が入力される。また、外部電源が接続されていなくても、蓄電部３１１のバッテリ残量が十分であって出力電圧が発電起電力よりも高い場合には、やはり蓄電部３１１には充電されない。
【００２８】
図３は、本実施形態の電子機器１で実行される省電力モード移行処理のメインＣＰＵ２１１による制御手順と、省電力モード開始処理のサブＣＰＵ１１１による制御手順をそれぞれ示すフローチャートである。
メインＣＰＵ２１１では、省電力モード移行処理は、操作受付部４１への所定の入力動作の検出や、所定の条件を満たす状況、例えば、外部電源に接続されない状態で所定時間以上電子機器１の動作が加速度センサなどにより検出されない状況などで起動される。
【００２９】
図３（ａ）に示すように、省電力モード移行処理が開始されると、メインＣＰＵ２１１（第２制御部２１）は、サブＣＰＵ１１１（第１制御部１１）への電力供給スイッチ３１２をオンさせ、また、ソーラパネル３２１と蓄電部３１１との接続スイッチ３２２をオンさせる（ステップＳ２０１）。メインＣＰＵ２１１は、サブＣＰＵ１１１を起動させる（ステップＳ２０２）。このときメインＣＰＵ２１１は、サブＣＰＵ１１１に省電力モードへ移行する途中であることを示すコマンドや引数を送ることが出来る。第２表示部２２の駆動回路に所定の制御信号を出力して、第２表示部２２の表示動作を終了させる（ステップＳ２０３）。
【００３０】
メインＣＰＵ２１１は、接続されている機能動作部４２の各動作を終了させ（ステップＳ２０４）、それから、メインＣＰＵ２１１自身のシャットダウン処理を行う（ステップＳ２０５）。そして、メインＣＰＵ２１１は、省電力モード移行処理を終了する。
【００３１】
サブＣＰＵ１１１では、省電力モード開始処理は、メインＣＰＵ２１１により省電力モード移行の命令とともに起動されることで開始される。
図３（ｂ）に示すように、省電力モード開始処理が開始されると、サブＣＰＵ１１１（第１制御部１１）は、初期起動動作を行い、また、ＲＴＣ１５から現在日時を取得する（ステップＳ１０１）。サブＣＰＵ１１１は、取得された現在日時に基づいて、第１表示部１２への日時の表示動作を開始する（ステップＳ１０２）。そして、省電力モード開始処理を終了する。
【００３２】
図４は、本実施形態の電子機器１で実行される通常モード移行処理のサブＣＰＵ１１１による制御手順と、通常モード開始処理のメインＣＰＵ２１１による制御手順をそれぞれ示すフローチャートである。
メインＣＰＵ２１１では、通常モード移行処理は、操作受付部４１への何らかの（或いは所定の）入力動作の検出や、所定の条件を満たす状況、例えば、外部電源に接続されたり、自動で省電力モードに移行した後に、加速度センサにより動作が検出されたりした状況などで起動される。
【００３３】
図４（ａ）に示すように、通常モード移行処理が開始されると、サブＣＰＵ１１１（第１制御部１１）は、メインＣＰＵ２１１（第２制御部２１）を起動させる（ステップＳ２２１）。サブＣＰＵ１１１は、メインＣＰＵ２１１により第２表示部２２の表示が開始される程度の時間待機した後、第１表示部１２の表示動作を中止させる（ステップＳ２２２）。それから、サブＣＰＵ１１１は、自身のシャットダウン処理を行って動作を停止させ（ステップＳ２２３）、通常モード移行処理を終了する。
なお、サブＣＰＵ１１１は、第２表示部２２の表示開始を待たずに第１表示部１２の表示動作を中止させても良いし、メインＣＰＵ２１１から表示開始に係る所定の信号を受信してから第１表示部１２の表示動作を中止させても良い。
また、サブＣＰＵ１１１のシャットダウン動作が不要な場合には、通常モード開始処理のステップＳ１２３における電力供給の遮断とともにサブＣＰＵ１１１の動作が中止されても良い。
【００３４】
図４（ｂ）に示すように、通常モード開始処理において、メインＣＰＵ２１１（第２制御部２１）は、初期起動動作を行う。また、メインＣＰＵ２１１は、サブＣＰＵ１１１からＲＴＣ１５の計数する日時を取得して、日時の計数動作を開始する（ステップＳ１２１）。メインＣＰＵ２１１は、第２表示部２２の駆動回路に制御信号を出力し、表示動作を開始させる（ステップＳ１２２）。メインＣＰＵ２１１は、サブＣＰＵ１１１への電力供給スイッチ３１２と、ソーラパネル３２１と蓄電部３１１との間の接続スイッチ３２２と、をオフする（ステップＳ１２３）。そして、メインＣＰＵ２１１は、通常モード開始処理を終了する。
【００３５】
このように、本実施形態の電子機器１では、第１表示部１２の表示画面１２１と第２表示部２２の表示画面２２１において、表示モードに応じて何れかに選択的に表示が行われる。なお、ここでは、表示動作を行わせる表示画面の切替時に一時的に両方の表示部において重複して表示動作がなされて、何れも表示がなされない期間が生じないようにされているが、このような期間を設けず、切替時に一時的に表示の空白が生じても良い。
【００３６】
［変形例］
図２（ｂ）は、本実施形態の電子機器１の電力供給経路に係る変形例を示す図である。
この変形例では、第１表示部１２及び第１制御部１１への電力供給と、第２表示部２２及び第２制御部２１への電力供給とが分離されている。このような形態は、例えば、ボタン型電池などの乾電池が外部電源として用いられ、ユーザが電子機器１を携帯して移動しながら利用する際に第２表示部２２及び第２制御部２１を安定動作させることが可能なものの一例として挙げられる。
【００３７】
この一方で、第１表示部１２の表示動作に切り替えられた場合には、発電部３２の発電により供給され、蓄電部３１１に蓄えられた電力が第１表示部１２及び第１制御部１１の動作に用いられる。
【００３８】
以上のように、第１実施形態の電子機器１は、第１表示部１２と第１表示部１２よりも消費電力の大きい第２表示部２２と、第１表示部１２による表示動作と第２表示部２２による表示動作の切り替えを行うことで一方による表示動作を可能とさせる表示切替部としての第１制御部１１及び第２制御部２１と、少なくとも第１表示部１２の動作に利用される電力を蓄える蓄電部３１１を有し、第１表示部１２及び第２表示部２２に電力を供給する電力供給部３１と、蓄電部３１１を充電可能に設けられた発電部３２と、を備える。
このように、２つの表示部を備えた情報表示装置としての電子機器１において、少なくとも一方の表示部の表示動作に係る消費電力の少なくとも一部を供給可能な発電部３１と当該発電部３１により発電された電力を蓄える蓄電部３１１とを備えることで、全動作に係る電力供給が発電のみでは困難な場合でも、何れかの表示部における最低限の表示動作をより長く効率良く行わせることが可能になる。従って、複数の表示部による多様な内容の表示に対応しつつ、最低限の表示を行うことが可能な期間をより効率良く延長することが可能となる。
特に、第１表示部１２において最低限日時の表示を継続可能とすることで、腕装着型などの携帯型の電子機器として最低限必要な情報提供を長期間より確実に行うことを可能とすることが出来る。
【００３９】
また、発電部３２には、第１表示部１２により表示動作が行われる期間に蓄電部３１１に通電可能とされる切替スイッチ３２２が設けられている。これにより、第１表示部１２及び第１制御部１１の動作時に蓄電部３１１の電力使用と連動して発電部３２から電力供給を行うことが出来、更に効率良く確実に蓄電部３１１のバッテリ残量を維持して表示を長期間保つことが可能になる。
【００４０】
充電スイッチ３２２は、通電可能か否かの切替制御に係る信号が入力されない状態では通電可能状態となるスイッチング素子（ＦＥＴ）である。これにより、電気的な制御のみで容易且つ確実にスイッチ動作を行わせることが出来る。また、第２制御部２１の動作終了時などに特別な処理をしなくても通常状態でオン状態を保ち、第１制御部１１の動作を必ずしも用いなくても、蓄電部３１１から第１制御部１１や第１表示部１２への電力供給を行い、表示動作を行わせることが出来る。
【００４１】
また、表示切替部としての第２制御部２１は、第１表示部１２が表示動作を行う場合に第２表示部２２による表示動作を停止させる。従って、最低限の表示をのみを行いつつ電力消費を削減することが出来る。
【００４２】
また、表示切替部としての第１制御部１１及び第２制御部２１は、第１表示部１２と第２表示部２２のうち何れかにより選択的に表示動作を行わせる。これにより、特に第１表示部１２の表示画面１２１と第２表示部２２の表示画面２２１とが積層配置されているような場合に、表示内容や表示に係る処理内容などに応じて適切な一方の表示部を選択して効率良く表示を行わせ、また、表示内容に応じて適切な電力消費とすることが出来る。
【００４３】
また、第１表示部１２による表示動作と第２表示部２２による表示動作とを制御する制御部（第１制御部１１及び第２制御部２１）を備える。このように、表示に係る処理内容に応じて制御部、特にＣＰＵ、ＲＡＭやクロック周波数などを使い分けることで、表示可能な内容の幅（上限）を広げつつ、簡便且つ最小限の表示には当該表示に応じた電力消費で制御動作を行うので、柔軟且つ効率良く多様な表示を行うことが出来る。
【００４４】
また、制御部は、第１表示部１２の表示動作を制御する第１制御部１１と、第２表示部２２の表示動作を制御する第２制御部２１と、を有し、第１制御部１１により第１表示部１２に表示動作を行わせる場合には、第２制御部２１の動作を停止して、第２表示部２２による表示動作を停止させる。
このように、発電部で電力供給可能な第１表示部１２に表示動作を行わせるときには、第２表示部２２だけではなく第２制御部２１の動作も停止させることで、より消費電力を低下させて、外部電源、特に乾電池や蓄電部３１１の電力消費を抑え、これにより、効率良く表示動作をより長い時間維持させることが出来る。
【００４５】
また、第１制御部１１は、第１表示部１２に日時の表示動作を行わせ、当該日時の表示動作の制御に係る第１制御部１１の消費電力は、第２表示部２２により日時表示に対応する内容の表示動作を行わせる場合における第２制御部２１の制御動作に係る消費電力よりも小さい。
即ち、消費電力の大きい第２表示部２２の表示動作を制御するための第２制御部２１の消費電力は、第１制御部１１の消費電力より大きくなりやすいので、第２表示部２２の表示を行わない間、第２制御部２１の動作も合わせて停止させることで、より効率良く電力消費を低減させることが出来る。
【００４６】
また、外部操作を受け付ける操作受付部４１を備え、表示切替部としての第１制御部１１及び第２制御部２１は、操作受付部４１により受け付けられた操作内容に基づいて第１表示部１２と第２表示部２２とによる表示動作を切り替える。
即ち、ユーザが第２表示部２２による表示を必要とする情報表示装置１の利用を行わない場合に、押しボタンスイッチなどの操作により第１制御部１１による第１表示部１２の表示動作のみに限定することで、適切な期間に亘り適切に効率的な表示動作に限って電力消費を抑えることが出来る。
【００４７】
また、電力供給部３１は、外部電源から電力供給を受けることが可能であり、蓄電部３１１は、外部電源から電力供給を受けている間には、当該外部電源からの入力電圧よりも発電部３２による起電力が大きい場合に、当該発電部３２の発電した電力により充電される。
このように、外部電源からの電力供給がない場合や、電力供給があっても乾電池の容量切れ間近などで不十分な場合に、発電部３２が十分な発電を行っていれば、単純に発電部３２が発電した電力により蓄電部３１１が充電されるようなシンプルな回路構成とすることで、小型且つ効率的に第１表示部１２の表示動作に係る電力供給をより長く安定的に維持することが出来る。
【００４８】
また、発電部３２は、入射光量に応じた発電を行うソーラパネル３２１を備える。これにより、電子機器１においてそれほど場所をとらず軽量な構成で、且つ、多くの場合、ユーザが積極的に発電に必要な動作などを行わなくても入射光により発電がなされるので、ソーラパネル３２１による発電電力で動作する電子時計や電卓などと同様に低消費電力で維持可能な動作を容易に継続可能とすることが出来る。
【００４９】
また、第１表示部１２及び第２表示部２２は、デジタル表示を行う表示画面１２１、２２１をそれぞれ有する。即ち、複数のデジタル表示画面を表示内容や消費電力に応じて使い分けることで、幅広い表示内容の網羅と表示内容に応じた適切な消費電力とを両立させることが出来る。
【００５０】
また、第１表示部１２の表示画面１２１と、第２表示部２２の表示画面２２１とは積層されている。このような構成の情報表示装置である電子機器１において、適切な表示画面を選択して、特に、何れか一方に表示を行わせることで、表示面の面積を不要に拡張したりすることなく必要な表示を適切な消費電力で行わせることが出来る。
【００５１】
［第２実施形態］
次に、第２実施形態の電子機器について説明する。
図５は、第２実施形態の電子機器１ａにおける電力供給経路を説明する図である。
【００５２】
この電子機器１ａでは、電力供給部３１ａにおいて、電力供給スイッチ３１２が設けられず、また、電圧検出器３１３が設けられている。その他の構成については同様であり、同一の構成には同一の符号を用いることとする。
【００５３】
電力供給スイッチ３１２を設けずとも、上述のように、電子機器１ａでは、通常モードにおいて第１制御部１１のサブＣＰＵ１１１が自身によりシャットダウンされて、また、第１表示部１２の動作も中止される。従って、不要な電力消費はほぼ生じない。
【００５４】
電圧検出器３１３は、蓄電部３１１の出力電圧を計測して第２制御部２１に計測結果を出力する。計測結果としては、電圧値自体を出力しても良いし、所定の下限基準値との大小関係の比較結果を出力するものであっても良い。操作受付部４１への入力動作や加速度センサなどによる動作検出などにより通常モードに復帰する場合に、この電圧検出器３１３の検出結果に基づいて、警告表示を行ったり通常モードへの復帰を制限したりすることが出来る。
【００５５】
図６は、第２実施形態の電子機器１ａにおける省電力モード移行処理及び通常モード開始処理のメインＣＰＵ２１１による制御手順を示すフローチャートである。
【００５６】
図６（ａ）に示すように、省電力モード移行処理では、ステップＳ２０１の処理がステップＳ２０１ａの処理に置き換えられた点を除いて第１実施形態の電子機器１における省電力モード移行処理と同一であり、同一の処理内容には同一の符号を付して詳しい説明を省略する。
【００５７】
省電力モード移行処理が開始されると、メインＣＰＵ２１１は、ソーラパネル３２１と蓄電部３１１との間の接続スイッチ３２２をオンさせる（ステップＳ２０１ａ）。そして、メインＣＰＵ２１１の処理は、ステップＳ２０２に移行する。
即ち、電力供給スイッチ３１２の処理が不要となる。
【００５８】
また、図６（ｂ）に示すように、通常モード開始処理では、上述の第１実施形態の電子機器１における通常モード開始処理に対してステップＳ１３１〜Ｓ１３３の処理が追加され、また、ステップＳ１２３の処理がステップＳ１２３ａに置き換えられている。その他の処理は、第１実施形態の電子機器１における通常モード開始処理と同一であり、同一の構成要素には、同一の符号を用いることとする。
【００５９】
ステップＳ１２２の処理に続いて、メインＣＰＵ２１１は、電圧検出器３１３から計測結果を取得する（ステップＳ１３１）。メインＣＰＵ２１１は、出力電圧が所定の下限基準値以上であるか否かを判別する（ステップＳ１３２）。この下限基準値としては、サブＣＰＵ１１１が起動されてから発電部３２からの電力供給なしにサブＣＰＵ１１１及び第１表示部１２を基準時間、例えば、１日以上継続して安定動作が可能な電圧値が用いられる。
【００６０】
下限基準値以上の出力電圧であると判別された場合には（ステップＳ１３２で“ＹＥＳ”）、メインＣＰＵ２１１の処理は、ステップＳ１２３ａに移行する。下限基準値以上の出力電圧ではないと判別された場合には（ステップＳ１３２で“ＮＯ”）、メインＣＰＵ２１１は、第２表示部２２に制御信号を出力して、電力が不足している旨の警告表示を行わせる（ステップＳ１３３）。それから、メインＣＰＵ２１１の処理は、ステップＳ１２３ａに移行する。
【００６１】
ステップＳ１２３ａの処理に移行すると、メインＣＰＵ２１１は、ソーラパネル３２１と蓄電部３１１の接続スイッチ３２２をオフさせる（ステップＳ１２３ａ）。そして、メインＣＰＵ２１１は、通常モード開始処理を終了する。
なお、この場合、下限基準値よりも更に低い動作下限値以下にまで出力電圧が低下した場合には、メインＣＰＵ２１１は、強制的に省電力モードに移行させる処理を行うことが出来る。
【００６２】
［変形例］
図７は、第２実施形態の電子機器１ａにおける電力供給経路の変形例を示す図である。
上記実施の形態では、電力供給部３１ａの電力供給スイッチ３１２を削除したが、図７（ａ）に示した変形例では、電力供給スイッチ３１２を残し、接続スイッチ３２２を削除している。
【００６３】
このような場合、蓄電部３１１の充電可否を第１制御部１１の動作と連動させずに行うことが出来る。電力供給部３１ａが外部電源に接続されている場合や発電起電力よりも蓄電部３１１の出力電圧の方が大きい場合には、発電に伴う電流はダイオード３２３を介して流れない。
【００６４】
また、図７（ｂ）に示した変形例では、更に、外部電源接続部と蓄電部３１１との間に送流切替スイッチ３１６（充電選択部）が設けられ、外部電源が接続されている場合であっても、発電部３２の起電力や蓄電部３１１の出力電圧に応じて第１制御部１１が送流切替スイッチ３１６を制御することで、発電部３２からの電力による動作及び充電を優先させることが出来る。外部電源として乾電池が用いられる場合などには、このように電池の使用を抑えることで動作時間を延長することが出来る。第２表示部２２及び第２制御部２１が動作する場合には、この送流切替スイッチ３１６がノーマリーオンとなって、蓄電部３１１の電力と外部電源の電力とが適宜第２制御部２１に供給される。
【００６５】
以上のように、第２実施形態の電子機器１ａでは、電圧検出器３１３により計測された蓄電部３１１の出力電圧、即ちバッテリ残量などに応じて通常モードへの復帰を制限することが出来る。従って、ユーザ操作による表示切替の要求に応えつつ、バッテリ残量などの状況に応じてより適切に動作を制御し、また、ユーザに必要な充電や外部電源からの電力供給を促すことが出来る。
【００６６】
また、本実施形態の電子機器１ａの変形例で示したように、電力供給部３１ａは、外部電源から電力供給を受けることが可能であり、当該外部電源から供給された電力により蓄電部３１１を充電可能とするか否かを切り替える送流切替スイッチ３１６を備える。
これにより、特に、外部電源が乾電池などであって容量に制限がある場合などにおいて、第１表示部１２に表示動作を行わせる場合に外部電源（乾電池）が接続されていても当該外部電源の電力を使用せずに、優先的に発電部３２により発電された電力で蓄電池３１１を充電し、第１表示部１２に表示動作を行わせることが出来る。これにより、外部電源（乾電池）の寿命を延ばし、より効率的に動作可能時間を継続、延長させることが出来る。
【００６７】
［第３実施形態］
図８は、第３実施形態の電子機器１ｂの機能構成を示すブロック図及び電力供給経路について説明する図である。
図８（ａ）に示すように、本実施形態の電子機器１ｂは、第１制御部１１を備えず、また、第１表示部１２の代わりに第１表示部１２ｂを備える。その他の構成は第１実施形態の電子機器１と同一であり、同一の構成には同一の符号を付して説明を省略する。
【００６８】
図８（ｂ）に示すように、第１表示部１２ｂは、ＬＥＤ１２１ｂ（Light Emitting Diode）及びこれに直列に配置された抵抗素子１２２ｂを有し、抵抗素子２１ｂのＬＥＤ１２１ｂとの接続端とは反対側の端部が接地されている。これにより、電力供給スイッチ３１２がオンされた場合には、供給された電力（電流）に応じてＬＥＤ１２１ｂが点灯する。即ち、表示動作は、デジタル表示画面により行われるものに限られない。
【００６９】
なお、ここでは、第１制御部を用いずに一つのＬＥＤ１２１ｂを点灯させるのみとしたが、第１制御部１１のマイコンを介してＬＥＤ１２１ｂの点灯制御を行う構成であっても良い。また、複数のＬＥＤ１２１ｂ（同色又は異なる色）が各々抵抗素子とともに並列に、又は直列に設けられても良い。
【００７０】
［変形例］
図９は、第３実施形態の電子機器１ｂの電力供給経路に係る変形例について説明する図である。
【００７１】
電子機器１ｂは、第１表示部１２ｂだけではなく、又は第１表示部１２ｂに代えて、第２表示部２２ｂがデジタル表示画面以外の表示部を備える構成であっても良い。図９（ａ）では、第２表示部２２ｂにおいて、ＬＥＤ２２１ｂが抵抗素子２２１ｂと直列に設けられ、供給切替部３１２ｂ２により第１表示部１２ｂ及び第２表示部２２ｂの点灯制御が各々なされる。また、図９（ｂ）では、デジタル表示画面を有し、第２制御部２１により制御される第２表示部２２と第１表示部１２ｂとの組合せで動作がなされる。この場合供給切替部３１２ｂ２の動作は、操作受付部４１の受付動作に応じて直接電気的に切り替えられても良いし、簡単な論理回路が含まれていても良い。或いは、第２制御部２１の電力を遮断せずに電力供給スイッチ３１２が設けられず、常時動作可能な第１制御部１１により電力供給スイッチ３１２ｂのみの切替制御がなされても良い。
【００７２】
以上のように、第３実施形態の電子機器１ｂは、ＬＥＤ１２１ｂなどの点灯動作といった表示動作が可能となっている。このように、デジタル表示画面に限られず、所定の情報表示が可能な構成を第１制御部１１や第２制御部２１の少なくとも一方に動作制御させるものであっても本発明を適用することが出来る。
【００７３】
［第４実施形態］
次に、第４実施形態の電子機器について説明する。
図１０は、第４実施形態の電子機器１ｃの機能構成を示すブロック図と、電子機器１ｃの電力供給経路についての説明図である。
【００７４】
図１０（ａ）に示すように、本実施形態の電子機器１ｃは、単一の駆動制御部２１ｃが電力供給部３１ｃから電力の供給を受けて第１表示部１２及び第２表示部２２を統括制御する。また、電力供給部３１ｃは、入力検出部３１４（電力入力検出部）を備える。
【００７５】
駆動制御部２１ｃは、操作受付部４１による入力動作の検出などにより表示動作を第１表示部１２と第２表示部２２との間で選択的に切り替える。駆動制御部２１ｃは、第１表示部１２に表示動作を行わせている間には、当該第１表示部１２の駆動制御を断続的に行う構成及びタイミングを除いて動作を休止させることとしても良い。
【００７６】
入力検出部３１４は、外部からの電力供給有無を検出して駆動制御部２１ｃに出力する。入力検出部３１４としては、低消費電力のコンパレータや、電力の入力信号自体で起動して所定の信号を出力構成などが用いられる。
【００７７】
図１０（ｂ）に示すように、電子機器１ｃでは、駆動制御部２１ｃが発電部３２の接続スイッチ３２２を動作させる。駆動制御部２１ｃは、第２表示部２２による表示動作を行っている間に当該接続スイッチ３２２をオンさせる構成とすることが出来る。また、駆動制御部２１ｃは、第２表示部２２による表示動作を行っている間であっても、入力検出部３１４が外部電源からの電力供給を検出している場合には、接続スイッチ３２２をオフとさせることとしても良い。
【００７８】
また、本実施形態の電子機器１ｃでは、入力検出部３１４の検出結果を定期的に取得して、第１表示部１２による表示動作中に入力が検出された場合には、自動的に第２表示部２２による表示に切り替えることが出来る。第２表示部２２による表示動作中に外部電源からの電力供給が途切れたことが検出された場合、即座に第１表示部１２の表示動作に移行する必要は必ずしもないが、そのように構成しても良い。
【００７９】
以上のように、第４実施形態の電子機器１ｃでは、電力供給部３１は、外部電源から電力供給を受けているか否かを検出する電力入力検出部３１４を備え、表示切替部としての駆動制御部２１ｃは、第１表示部１２による表示動作中に電力入力検出部３１４が外部電源からの電力供給を受けていることを検出した場合、第２表示部２２による表示動作に切り替えることが出来る。
即ち、ユーザ操作による明示的な通常モードと省電力モードの切替だけではなく、外部電源、特に、商用電源のコンセントやＵＳＢ端子などを用いた有線接続などによる安定的な電力供給がある場合には、敢えて省電力モードとせずに基本的に通常モードでの動作に移行可能とすることで、幅広く柔軟な表示に対応可能とすることが出来る。
【００８０】
［第５実施形態］
次に、第５実施形態の電子機器について説明する。
図１１は、第５実施形態の電子機器１ｄの機能構成を示すブロック図と、電子機器１ｄの電力供給経路についての説明図である。
【００８１】
図１１（ａ）、（ｂ）に示すように、電子機器１ｄは、第２制御部が第１表示部１２の表示動作を制御することが可能であり、また、第１制御部が第２表示部２２の表示動作を制御することが可能となっている。その他の構成については、第１実施形態の電子機器１と同一であり、同一の構成には同一の符号を付して説明を省略する。
【００８２】
次に、本実施形態の電子機器１ｄにおける表示動作の制御について説明する。
本実施形態の電子機器１ｄでは、通常モードと省電力モードに加えて、低消費電力モードと一時高描画モードでの表示動作が可能となっている。
【００８３】
図１２は、本実施形態の電子機器１ｄで実行される高描画モード処理のサブＣＰＵ１１１（第１制御部１１）による制御手順、及び低消費電力表示処理のメインＣＰＵ２１１（第２制御部２１）による制御手順を、それぞれ示すフローチャートである。
【００８４】
この高描画モード処理は、操作受付部４１により受け付けられた所定の入力動作の検出により開始される。或いは、予めなされたスケジュール設定に応じて一時的に予め定められた表示や簡単な動作受付のみを一時的に行う場合に、自動的に起動されても良い。
【００８５】
高描画モード処理が開始されると、図１２（ａ）に示すように、サブＣＰＵ１１１（第１制御部１１）は、第２表示部２２に電力を供給させて動作をオンさせる（ステップＳ２４１）。サブＣＰＵ１１１は、蓄電部３１１のバッテリ残量に応じた値、即ち、蓄電部３１１の出力電圧などを取得し、当該バッテリ残量に応じた最大可動時間を設定する（ステップＳ２４２）。この最大可動時間は、蓄電部３１１のバッテリ残量を大きく減らさない程度の動作時間であり、ここでは、当該バッテリ残量で実際に最大限動作可能な時間よりは十分に短く定められる。
【００８６】
サブＣＰＵ１１１は、第２表示部２２の駆動回路に制御信号を出力して、第２表示部２２による表示動作を開始させる。また、サブＣＰＵ１１１は、第１表示部１２の表示動作を停止させ、第２表示部２２の表示を透過させる（ステップＳ２４３）。
【００８７】
サブＣＰＵ１１１は、高描画の中止命令が検出されたか否かを判別する（ステップＳ２４４）。高描画の中止命令としては、操作受付部４１による所定の受付動作の検出に応じたものが挙げられる。また、所定時間描画内容に係る動作がない場合や、加速度センサなどにより電子機器１の移動が所定時間以上検出されなかった場合などもサブＣＰＵ１１１自身が高描画の中止命令を発しても良い。
【００８８】
高描画中止命令が検出されたと判別された場合には（ステップＳ２４４で“ＹＥＳ”）、サブＣＰＵ１１１の処理は、ステップＳ２４７に移行する。検出されていないと判別された場合には（ステップＳ２４４で“ＮＯ”）、サブＣＰＵ１１１は、最大可動時間が経過したか否かを判別する（ステップＳ２４５）。検出されていないと判別された場合には（ステップＳ２４５で“ＮＯ”）、サブＣＰＵ１１１の処理は、ステップＳ２４４に戻る。
なお、ステップＳ２４４、Ｓ２４５の処理が繰り返されている間に表示内容の更新等があった場合には、適宜サブＣＰＵ１１１による制御処理が割り込まれて行われる。
【００８９】
ステップＳ２４５の判別処理で、最大可動時間が経過したと判別された場合には（ステップＳ２４５で“ＹＥＳ”）、サブＣＰＵ１１１は、第２表示部２２に制御信号を出力し、第２表示部２２による表示動作を終了する旨を示す強制終了警告表示を行わせる（ステップＳ２４６）。それから、サブＣＰＵ１１１の処理は、ステップＳ２４７に移行する。
【００９０】
ステップＳ２４７の処理に移行すると、サブＣＰＵ１１１は、第１表示部１２をオンさせ、第１表示部１２による日時表示を再開させる。また、サブＣＰＵ１１１は、第２表示部２２による表示をオフさせ、電力供給を中止する（ステップＳ２４７）。そして、サブＣＰＵ１１１は、高描画モード処理を終了する。
【００９１】
このような高描画モード処理は、メインＣＰＵ２１１を起動させて動作させるほどの高機能ではなく、また、一時的に描画動作がなされた後に省電力モードに戻るような場合に実行されれば良い。即ち、予め定められたスケジュールで所定の表示を行う場合や、所定の入力動作に基づいて第１表示部１２では表示しきれない固定内容の表示を一時的に表示させる場合などに用いることが出来る。
【００９２】
低消費電力表示処理は、ここでは、操作受付部４１による所定の動作入力の検出に応じて開始される。或いは所定時間に亘り入力動作が検出されず、且つ入力動作やスケジュール動作などに基づく動作が実行中又は設定されていない場合に、第２表示部２２を用いた表示制御動作を中止させて第１表示部１２を用いた時刻表示に移行させることが出来る。
【００９３】
図１２（ｂ）に示すように、低消費電力表示処理が開始されると、メインＣＰＵ２１１（第２制御部２１）は、第１表示部１２への電力供給を開始してオンさせる（ステップＳ１４１）。メインＣＰＵ２１１は、第１表示部１２の駆動回路に表示内容に係る制御信号を出力し、第２表示部２２による表示処理を開始させる。また、メインＣＰＵ２１１は、第２表示部２２による表示をオフさせる（ステップＳ１４２）。
【００９４】
メインＣＰＵ２１１は、通常表示への復帰命令が検出されたか否かを判別する（ステップＳ１４３）。ここでの通常表示への復帰命令は、例えば、操作受付部４１による所定の入力動作の検出、加速度センサなどによる電子機器１の使用状態の変化検出や、予め定められたスケジュール動作の設定時刻直前などに応じたものが挙げられる。復帰命令が検出されていないと判別された場合には（ステップＳ１４３で“ＮＯ”）、メインＣＰＵ２１１は、ステップＳ１４３の処理を繰り返す。このステップＳ１４３の処理の実行間隔は、適宜設定されて良い。必要以上にこの処理が実行されないように、適宜待機時間を設けても良い。また、単純に割込み動作による復帰命令が得られるまで待機するものであっても良い。
【００９５】
通常表示への復帰命令が検出されたと判別された場合には（ステップＳ１４３で“ＹＥＳ”）、メインＣＰＵ２１１は、第２表示部２２を再起動させて表示動作を再開させ、また、第１表示部１２の表示動作を停止させて第２表示部２２の表示を透過させる（ステップＳ１４４）。そして、低消費電力表示処理を終了する。
【００９６】
この低消費電力表示処理は、ユーザによる電子機器１ｄの使用が一時的に中断されていると想定され、使用再開時に即座に通常表示に復帰出来るのが好ましいような場合に用いることが出来る。
【００９７】
以上のように、第５実施形態の電子機器１ｄでは、第１制御部１１が第２表示部２２による表示動作の制御が制限付であっても一時的に可能であり、また、第２制御部２１が第１表示部１２による表示動作の制御が可能となっていて、省電力モードにおいても一時的に第２表示部２２による多様な表示を行わせたり、通常モードでも一時的に消費電力をセーブしつつ速やかに通常の表示に復帰させたりすることが可能となる。即ち、省電力モードであっても、外部電源の接続や蓄電池３１１のバッテリ残量などに応じて一時的に第２表示部２２による表示が行われることを妨げるものではなく、必要に応じて多様な表示を行わせることが出来る。
【００９８】
［第６実施形態］
次に、本発明の第６実施形態の電子機器について説明する。
図１３は、第６実施形態の電子機器１ｅの機能構成を示すブロック図、及び電力供給経路について説明する図である。
【００９９】
図１３（ａ）に示すように、本実施形態の電子機器１ｅの機能構成は、第５実施形態の電子機器１ｄと比較して、第１制御部１１が第２表示部の表示制御を行わない点、及び電力供給部３１ｅが蓄電部３１１ｅを有する点を除いて同一であり、同一の構成については同一の符号を付して説明を省略する。
【０１００】
図１３（ｂ）に示すように、本実施形態の電子機器１ｅでは、電力供給部３１ｅにおいて、蓄電部３１１ｅが第２制御部２１に直接接続するように設けられている。そして、この蓄電部３１１ｅと第２制御部２１との間と、発電部３２の出力と第１制御部１１との間とを並列に繋ぐダイオード３１５と送流切替スイッチ３１６とが設けられている。その他の構成については第１実施形態の電子機器１と同一であり、同一の符号を用いることとする。
【０１０１】
ダイオード３１５は、発電部３２から蓄電部３１１ｅへ電流を流すように設けられている。即ち、送流切替スイッチ３１６が閉止されている場合、即ち、第１制御部１１が停止状態の場合に、蓄電部３１１ｅから第１制御部１１の側への逆流を防止する。
【０１０２】
送流切替スイッチ３１６は、第２制御部２１により開閉制御される。また、この送流切替スイッチ３１６は、ノーマリーオンであり、第２制御部２１の動作が停止された場合には、オン状態で保たれる。
【０１０３】
この電子機器１ｅでは、第１制御部１１が第１表示部１２を動作させている間、電力供給スイッチ３１２及び接続スイッチ３２２がオンされて、発電部３２から第１制御部１１に電力が供給可能となる。また、このとき、送流切替スイッチ３１６も同時にオンされて、発電部３２のソーラパネル３２１による発電起電力が蓄電部３１１ｅの出力電力よりも小さい場合には、蓄電部３１１から第１制御部１１に電力が供給され、発電部３２のソーラパネル３２１による発電起電力が蓄電部３１１ｅの出力電力より大きい場合には、当該発電起電力に基づいて第１制御部１１が動作されるとともに、蓄電部３１１ｅが充電される。
【０１０４】
本実施形態の電子機器１ｅでは、第５実施形態の電子機器１ｄにおける低消費電力表示処理が実行可能となっている。即ち、第２制御部２１の動作により、通常モードでの動作中に一時的に第１表示部１２による動作制御に切り替えて電力消費を削減させつつ、必要に応じて即座に第２表示部２２による表示に戻すことが出来る。この電子機器１ｅでは、蓄電部３１１ｅのバッテリ残量が低下すると、第１制御部１１の動作に影響し得るので、効率良く蓄電部３１１ｅの電力消費低減を図ることが出来る。
【０１０５】
また、第２制御部２１による第２表示部２２の表示動作中であっても接続スイッチ３２２がオンされることで、ソーラパネル３２１による発電電力がダイオード３２３、３１５を介して蓄電部３１１ｅに送られて当該蓄電部３１１ｅを充電可能としても良い。特に、外部電源に接続されていない場合には、通常モードでの表示動作中であってもこのように、動作電圧の一部を発電部３２から供給して良い。この場合、上述の第４実施形態の電子機器１ｃと同様に、外部電源からの電力供給有無を検出する入力検出部３１４が設けられていても良い。
【０１０６】
このように、第６実施形態の電子機器１ｅは、ダイオード３１５及び送流切替スイッチ３１６により発電部３２から蓄電部３１１ｅへの電力供給と、蓄電部３１１ｅ及び外部電源から第１制御部１１への電力供給が制御される。これにより、蓄電部３１１ｅは、外部電源や発電部３２から適切に充電されつつ、必要な状況では適切に蓄電部３１１ｅから第１制御部１１や第１表示部１２に電力を供給することが可能となっている。従って、効率良く適切な電力消費で第１表示部１２と第２表示部２２による表示動作を切り替えながら容易且つより安定して蓄電部３１１ｅの充電状況を高く保ち、表示を維持させることが出来る。
【０１０７】
［第７実施形態］
次に、本発明の第７実施形態の電子機器について説明する。
図１４は、第７実施形態の電子機器１ｆの機能構成を示すブロック図、及び電力供給経路について説明する図である。
【０１０８】
図１４（ａ）に示すように、電子機器１ｆの機能構成は、電力供給部３１ｅの代わりに電力供給部３１ｆが設けられている点を除き第６実施形態の電子機器１ｅと同一であり、同一の構成については同一の符号を付して説明を省略する。
【０１０９】
図１４（ｂ）に示すように、電子機器１ｆでは、電力供給部３１ｆにおいて、ダイオード３１５ｆのアノードが蓄電部３１１ｅの側に接続され、カソードが第１制御部１１の側に接続されて設けられている。また、送流切替スイッチ３１６ｆは、第１制御部の制御によって動作し、この送流切替スイッチ３１６ｆは、ノーマリーオフである。また、発電部３２から電力供給部３１ｆへ流れる電流の有無を検出する電流検出器３１７が設けられて、検出結果が第１制御部１１に入力されている。電流検出器３１７は、直接電流を検出するものではなく、例えば、蓄電部３１１ｅと発電起電力との電圧の上下を比較することで間接的に電力供給スイッチ３１２がオンされている期間における発電部３２からの電力供給有無を判定するもの（コンパレータなど）であっても良い。この場合、コンパレータの消費電力は十分に小さいものであることが好ましい。また、電流自体を検出する周知の検出器を用いる場合でも、その消費電力（発熱量）や、蓄電部３１１ｅへ流さない電流（接地面へ逃がす電流）を極力小さくするものが用いられるのが好ましい。
【０１１０】
この電子機器１ｆでは、発電部３２のソーラパネル３２１による発電起電力と蓄電部３１１ｅの出力電圧の何れによっても第１制御部１１を動作させることが可能である。第２制御部２１の制御により、及び第２制御部２１が制御を中止してノーマリーオンで電力供給スイッチ３１２をオンさせて、第１制御部１１をより安定的に動作させる。
【０１１１】
一方で、電流検出器３１７により発電部３２から電力供給部３１ｆに流れる電流が検出された場合、蓄電部３１１ｅの出力電圧は、発電起電力より小さいので、送流切替スイッチ３１６ｆをオンすることで、発電された電力により蓄電部３１１ｅを断続的に充電させることが出来る。この場合、第１制御部１１への供給電圧が大きく低下しないように、送流切替スイッチ３１６ｆがオンされる一回当たりの時間は十分に短く定められることが望ましい。
【０１１２】
第１制御部１１と第２制御部２１とによる表示動作の切替制御、及び電力供給スイッチ３１２と接続スイッチ３２２のオンオフ制御は、第１実施形態の電子機器１と同様に行われる。
【０１１３】
以上のように、第７実施形態の電子機器１ｆでは、ダイオード３１５ｆと、送流切替スイッチ３１６ｆと、電流検出器３１７とを備えることにより、発電起電力が第１制御部１１の動作に必要なレベルに達しないといった不十分な発電状況では蓄電部３１１ｅや外部電源から電力供給を受けることを可能としつつ、発電起電力が十分な場合には、当該発電部３２の供給電力により第１制御部１１を動作させつつ無理なく蓄電部３１１ｅの充電を行うことが出来る。従って、より安定して第１表示部１２の表示動作を継続させつつ、蓄電部３１１ｅの蓄電状況に応じて必要な場合には第２表示部２２の表示動作もより適切に行わせることが出来る。
【０１１４】
［第８実施形態］
次に、本発明の第８実施形態の電子機器について説明する。
図１５は、第８実施形態の電子機器１ｇの機能構成を示すブロック図、及び電力供給経路について説明する図である。
【０１１５】
図１５（ａ）に示すように、この第８実施形態の電子機器１ｇは、第１実施形態の電子機器１における電力供給部３１が電力供給部３１ｇに置き換えられた点を除き同一であり、同一の構成には同一の符号を付して説明を省略する。
【０１１６】
この電力供給部３１ｇは、第１蓄電部３１１ｇ１（第１の蓄電部）と第２蓄電部３１１ｇ２（第２の蓄電部）の２つの蓄電部を有する。図１５（ｂ）に示すように、第１蓄電部３１１ｇ１は、発電部３２からの電力の供給を受けて、第１制御部１１に電力を供給する。第２蓄電部３１１ｇ２は、外部電源から電力供給を受けて、第２制御部２１への電力供給に用いられる。
【０１１７】
この場合、第１制御部１１と第２制御部２１の消費電力の大小に応じて第１蓄電部３１１ｇ１と第２蓄電部３１１ｇ２の容量が各々適切に設定される。上述のように、第２制御部２１や第２表示部２２の消費電力は、第１制御部１１や第１表示部１２の消費電力よりも大きいので、第２蓄電部３１１ｇ２の容量は、第１蓄電部３１１ｇ１の容量よりも大きく定められるのが好ましい。また、出力電圧の安定のため、二次電池が用いられる。
【０１１８】
第１制御部１１と第２制御部２１とによる表示動作の切替制御、及び電力供給スイッチ３１２と接続スイッチ３２２のオンオフ制御は、通常では、第１実施形態の電子機器１と同様に行われる。また、この電子機器１ｇでは、第１蓄電部３１１ｇ１のバッテリ残量が不足にならないように、第２制御部２１は、第１制御部１１の非動作時にも発電部３２のソーラパネル３２１から第１蓄電部３１１ｇ１に電力供給が可能に電力供給スイッチ３１２をオンオフ動作させても良い。
【０１１９】
以上のように、第８実施形態の電子機器１ｇは、少なくとも第１表示部１２の動作に利用される電力を蓄える第１蓄電部３１１ｇ１に加えて、少なくとも第２表示部２２の動作に利用される電力を蓄える第２蓄電部３１１ｇ２を備え、電力供給部３１は、外部電源から電力供給を受けることが可能であり、第２蓄電部３１１ｇ２は、外部電源から供給された電力により充電可能である。
このように、発電部３２の発電により充電されて主に第１表示部１２の表示動作を行わせる第１蓄電部３１１ｇ１と、外部電源により充電されて主に第２表示部２２の表示動作を行わせる第２蓄電部３１１ｇ２とを別個に分けて各々電力供給させることで、それぞれの表示部の消費電力に応じた容量の蓄電部を設けて充電時間と動作時間とを各々適切にバランスさせることが出来る。また、第１蓄電部３１１ｇ１の電力が第２表示部２２や第２制御部２１の動作に用いられない構成とされれば、電子時計などと同様に第１表示部１２の表示動作をより確実に長期間維持することが可能となり、バッテリ切れで表示がまったくなされない状況が生じる虞が大きく低減される。
【０１２０】
［第９実施形態］
次に、本発明の第９実施形態の電子機器について説明する。
図１６は、第９実施形態の電子機器１ｈにおける機能構成を示すブロック図、及び電力供給経路について説明する図である。
【０１２１】
第９実施形態の電子機器１ｈは、第８実施形態の電子機器１ｇにおける電力供給部３１ｇが電力供給部３１ｈに置き換えられた点を除いて同一であり、同一の構成については同一の符号を付して説明を省略する。
【０１２２】
第９実施形態の電子機器１ｈでは、第１蓄電部３１１ｇ１の出力電圧が第２蓄電部３１１ｇ２の出力電圧より大きい場合に、第１蓄電部３１１ｇ１に蓄えられた電力により第２蓄電部３１１ｇ２を充電可能にするための送電経路がダイオード３１５を介して設けられている（第１の送電経路）。第１蓄電部３１１ｇ１の出力電圧が第２蓄電部３１１ｇ２のバッテリ残量に応じた出力電圧より小さい場合には、発電部３２により発電された電力が随時ダイオード３１５を介して蓄電部３１１ａに送られる。
【０１２３】
第１制御部１１と第２制御部による第１表示部１２及び第２表示部２２の表示制御、及び、電力供給スイッチ３１２と接続スイッチ３２２のオンオフ制御は、第１実施形態の電子機器１と同様に行われるので、説明を省略する。
【０１２４】
以上のように、第９実施形態の電子機器１ｈでは、電力供給部３１は、第１蓄電部３１１ｇ１が蓄えている電力を第２蓄電部３１１ｇ２に供給するダイオード３１５が設けられた第１の送電経路を有する。これにより、発電部３２により発電された電力により、少しずつ第２表示部２２による表示動作を行わせることが可能となるので、外部電源から電力が供給されない状況でも、第１表示部１２による表示が可能な状況を保ちながら第２蓄電部３１１ｇ２の電力消費を補うことが可能な範囲で限定的に第２表示部２２による表示動作を行わせることが出来る。
【０１２５】
また、電力供給部３１は、第２表示部２２による表示動作が停止されている期間に第１蓄電部３１１ｇ１が蓄えている電力を第２蓄電部３１１ｇ２に供給して当該第２蓄電部３１１ｇ２を充電する。これにより、第１表示部１２の表示動作に応じて消費される第１蓄電部３１１ｇ１の充電と合わせて第２蓄電部３１１ｇ２の充電を行うことが出来る。
【０１２６】
［第１０実施形態］
次に、第１０実施形態の電子機器について説明する。
図１７は、第１０実施形態の電子機器１ｉの機能構成を示すブロック図、及び電力供給経路について説明する図である。
【０１２７】
第１０実施形態の電子機器１ｉは、第９実施形態の電子機器１ｈにおける電力供給部３１ｈが電力供給部３１ｉに置き換えられた点を除き同一であり、同一の構成には同一の符号を付して説明を省略する。
図１７（ｂ）に示すように、電力供給部３１ｉは、発電部３２に接続された第１蓄電部３１１ｇ１の出力電圧を検出する電圧検出器３１３ｉ（電圧検出部）と、当該電圧検出器３１３ｉによる検出電圧に応じて第１蓄電部３１１ｇ１と第２蓄電部３１１ｇ２との間の充放電切り替えを行う送流切替スイッチ３１６ｉなどを備える。
【０１２８】
電圧検出器３１３ｉは、第２制御部２１及び第２表示部２２の安定動作に必要な基準出力電圧（下限電圧）を検出する。電圧検出器３１３ｉとしては、周知のコンパレータなどを利用することが出来るが、消費電力が十分に小さいものが望ましい。また、電圧検出の必要がない期間には、適宜検出間隔を広げても良い。この基準出力電圧が検出されている場合には、送流切替スイッチ３１６ｉがオンされて、第１蓄電部３１１ｇ１から第２蓄電部３１１ｇ２への送電が可能とされ、基準出力電圧が検出されていない場合には、第１蓄電部３１１ｇ１から第２蓄電部３１１ｇ２への送電が禁止される。
【０１２９】
外部電源が接続されている場合には、当該外部電源から第２蓄電部３１１ｇ２に電力が供給されて速やかに充電される。なお、第１蓄電部３１１ｇ１の出力電圧が基準出力電圧より高く、且つ第２蓄電部３１１ｇ２が外部電源に接続されてフル充電されている場合、送流切替スイッチ３１６ｉがオンされて、結果的に電流が外部電源から第１蓄電部３１１ｇ１に流れる場合があり得る。このように、外部電源に接続されて電力供給に余裕がある場合には、第１蓄電部３１１ｇ１も充電されて良い。
【０１３０】
第１制御部１１と第２制御部２１とによる表示動作の切替制御、及び電力供給スイッチ３１２と接続スイッチ３２２のオンオフ制御は、通常では、第１実施形態の電子機器１と同様に行われる。従って、ここでは、詳しい説明を省略する。
【０１３１】
以上のように、第１０実施形態の電子機器１ｉでは、電力供給部３１は、第１蓄電部３１１ｇ１の出力電圧を検出する電圧検出器３１３ｉを有し、電圧検出器３１３ｉの検出する電圧が所定の基準出力電圧以上である場合に、第１蓄電部３１３ｇ１が蓄えている電力を第２蓄電部３１３ｇ２に供給して第２蓄電部３１３ｇ２を充電可能とする。
このように、電圧検出器３１３ｉの検出結果に基づいて第１蓄電部３１３ｇ１の出力電圧を第１表示部１２及び第１制御部１１の動作を安定して行えるレベルに保ち、第２蓄電部３１３ｇ２に電力を供給しないので、より第１表示部１２の表示動作を安定して継続させることが出来る。また、第２表示部２２の動作により一時的に第２蓄電部３１１ｇ２の出力電圧（蓄電量）が低下しても、第１蓄電部３１１ｇ１の出力電圧を保ちながら徐々に第２蓄電部３１１ｇ２を充電していくことが出来るので、無理なく第２蓄電部３１１ｇ２の動作を再開可能な状況に復帰させることが出来る。
【０１３２】
［第１１実施形態］
次に、第１１実施形態の電子機器について説明する。
図１８は、第１１実施形態の電子機器１ｊの機能構成を示すブロック図、及び電力供給経路について説明する図である。
【０１３３】
第１１実施形態の電子機器１ｊは、第１０実施形態の電子機器１ｉにおける電力供給部３１ｉが電力供給部３１ｊに置き換えられた点を除き同一であり、同一の構成には同一の符号を付して説明を省略する。
【０１３４】
図１８（ｂ）に示すように、第１１実施形態の電子機器１ｊでは、電力供給部３１ｊにおいて、第２蓄電部３１１ｇ２から第１蓄電部３１１ｇ１へ電流を流す電流経路（第２送電経路）がダイオード３１５ｆを介して送流切替スイッチ３１６ｉに対して並列に設けられている。これにより、発電部３２の発電起電力により充電される第１蓄電部３１１ｇ１は、第２蓄電部３１１ｇ２が外部電源に接続されているなどによりバッテリ残量に余裕があり、当該第２蓄電部３１１ｇ２の出力電圧が第１蓄電部３１１ｇ１の出力電圧よりも高い場合には、第２蓄電部３１１ｇ２から第１蓄電部３１１ｇ１に電流が流れて第１蓄電部３１１ｇ１が充電される。
【０１３５】
また、第２蓄電部３１１ｇ２のバッテリ残量が減少して出力電圧が低下した場合において、電圧検出器３１３ｉにより第１蓄電部３１１ｇ１の出力電圧が基準出力電圧以上であると検出されている場合には、送流切替スイッチ３１６ｉがオンされることで第１蓄電部３１１ｇ１から第２蓄電部３１１ｇ２に電流が流れて第１蓄電部３１１ｇ１から供給される電力による第１制御部１１の動作に問題を生じない範囲で第２蓄電部３１１ｇ２が充電される。
【０１３６】
第１制御部１１と第２制御部２１とによる表示動作の切替制御、及び電力供給スイッチ３１２と接続スイッチ３２２のオンオフ制御は、通常では、第１実施形態の電子機器１と同様に行われる。従って、ここでは、詳しい説明を省略する。
【０１３７】
以上のように、第１１実施形態の電子機器１ｊでは、電力供給部３１は、第２蓄電部３１１ｇ２が蓄えている電力を第１蓄電部３１１ｇ１に供給するダイオード３１５ｆが設けられた第２の送電経路を有する。これにより、発電部３２による発電量が不足する状況が長く続き、第１蓄電部３１１ｇ１の蓄電量（出力電圧）が不足する場合に、第２蓄電部３１１ｇ２から電力を供給することが可能になるので、第２表示部２２による表示動作を多少犠牲にしても第１表示部１２の表示動作をより確実により長期間継続させることが可能になる。
【０１３８】
また、電力供給部３２は、第２蓄電部３１１ｇ２の出力電圧が第１蓄電部３１１ｇ１の出力電圧及び発電部３２による起電力よりも大きい場合に、第２蓄電部３１１ｇ２の蓄えている電力を第１蓄電部３１１ｇ１に供給して当該第１蓄電部３１１ｇ１を充電する。
即ち、容易な回路構成で、発電部３２の発電が不十分であり、且つ第２蓄電部３１１ｇ２に十分な電力が残っている場合にのみ第１蓄電部３１１ｇ１に電力供給を行うので、必要以上に第２蓄電部３１１ｇ２の電力を放出させず、発電部３２の発電状況に応じた最低限の範囲で第１表示部１２の表示動作をより長期間維持させることを可能とする。
【０１３９】
［第１２実施形態］
次に、第１２実施形態の電子機器について説明する。
図１９は、第１２実施形態の電子機器１ｋの機能構成を示すブロック図、及び電力供給経路について説明する図である。
【０１４０】
第１２実施形態の電子機器１ｋは、第１０実施形態の電子機器１ｉにおける電力供給部３１ｉが電力供給部３１ｋに置き換えられた点を除き同一であり、同一の構成には同一の符号を付して説明を省略する。
【０１４１】
図１９（ｂ）に示すように、第１２実施形態の電子機器１ｋでは、電力供給部３１ｋにおいて、第２蓄電部３１１ｇ２にアノードが接続され、第１蓄電部３１１ｇ１にカソードが接続されたツェナーダイオード３１８（第２の送電経路、電位差判定部）が設けられている。これにより、第２蓄電部３１１ｇ２の出力電圧が第１蓄電部３１１ｇ１の出力電圧よりも高い場合には、第２蓄電部３１１ｇ２が蓄えた電力により第１蓄電部３１１ｇ１が随時充電される。また、第１蓄電部３１１ｇ１の出力電圧が第２蓄電部３１１ｇ２の出力電圧よりもツェナーダイオード３１８の降伏電圧（所定電位差）以上高い場合には、第１蓄電部３１１ｇ１が蓄えた電力により第２蓄電部３１１ｇ２が充電される。
【０１４２】
なお、電子機器１ｋの各部の動作電圧があまり高くない場合（例えば、１．５〜５Ｖ程度など）には、ツェナーダイオード３１８の降伏電圧をあまり大きくするのは好ましくないが、ツェナーダイオード３１８の降伏電圧が安定して定まる範囲内で機能されるように選択、利用されるのが好ましい。
【０１４３】
第１制御部１１と第２制御部２１とによる表示動作の切替制御、及び電力供給スイッチ３１２と接続スイッチ３２２のオンオフ制御は、第１実施形態の電子機器１と同様に行われる。従って、ここでは、詳しい説明を省略する。
【０１４４】
以上のように、第１２実施形態の電子機器１ｋでは、電力供給部３１は、第１蓄電部３１１ｇ１の出力電圧が第２蓄電部３１１ｇ２の出力電圧よりも所定電位差（降伏電圧分）以上高い場合に、第１蓄電部３１１ｇ１が蓄えている電力を第２蓄電部３１１ｇ２に供給して当該第２蓄電部３１１ｇ２を充電させるツェナーダイオード３１８を有する。即ち、第２蓄電部３１１ｇ２の出力電圧が下がっても、当該第２蓄電部３１１ｇ２の出力電圧と同じレベルまで第１蓄電部３１１ｇ１の出力電圧を低下させないので、より確実に第１表示部１２による表示動作を行わせることが出来る。
【０１４５】
なお、本発明は、上記実施の形態に限られるものではなく、様々な変更が可能である。
例えば、上記実施の形態では、第１表示部１２と第２表示部２２とが積層配置されたデジタル表示画面の例を用いたが、デジタル表示画面が並列配置されていても良く、また、同時に両方の表示画面が表示動作を行う場合があっても良い。例えば、第１表示部１２には、通常、現在位置における現在日時を表示させ、第２表示部２２が使用可能な場合に、当該第２表示部２２に各種機能に係る表示動作を行わせても良い。また、積層配置された場合であっても表示画面１２１と表示画面２２１は同サイズである場合に限られない。
【０１４６】
また、上記実施の形態では、デジタル表示画面やＬＥＤなどによる表示を行わせることとしたが、指針などをステッピングモータを用いて物理的に移動させるアナログ表示に係る構成などを有する情報表示装置であっても良い。
【０１４７】
また、上記実施の形態では、第１の表示部と第２の表示部の２つを有する電子機器を例に挙げて説明したが、第１の表示部及び第２の表示部に更に複数の構成が含まれていても良いし、表示部が３つ以上であっても良い。これらの場合、択一的に何れかが動作可能とされても良いし、複数の組み合わせで表示動作が可能であっても良い。発電部の発電する電力は、おれらの複数の表示部のうち少なくとも最も通常動作時の消費電力の小さい構成に対して電力を供給し得る構成とされる。
【０１４８】
また、上記実施の形態では、蓄電部の電力を直接制御部などに供給し、当該制御部を介して各表示部に電力を供給する形態を例示したが、蓄電部の電力を更に所定の電圧に変換して出力可能であっても良い。また、各表示部への電力供給は、制御部のスイッチング制御のもと、直接なされて良い。
【０１４９】
また、発電部３２としては、太陽光発電を行うソーラパネルを例に挙げて説明したが、これに限られない。例えば、腕装着型の端末における腕振りに応じて発電がなされる周知の発電機構などが用いられても良い。
【０１５０】
また、上記の各実施形態や変形例で示した構成や制御内容などは、互いに矛盾したり効果を完全に相殺したりしない限りにおいて任意に独立に用いたり組み合わせたりすることが出来る。
その他、上記実施の形態で示した構成、制御内容や手順などの具体的な細部は、本発明の趣旨を逸脱しない範囲において適宜変更可能である。
【０１５１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１５２】
［付記］
＜請求項１＞
第１の表示部と、
前記第１の表示部よりも消費電力の大きい第２の表示部と、
前記第１の表示部による表示動作と前記第２の表示部による表示動作の切り替えを行うことで一方による表示動作を可能とさせる表示切替部と、
少なくとも前記第１の表示部の動作に利用される電力を蓄える第１の蓄電部を有し、前記第１の表示部及び前記第２の表示部に電力を供給する電力供給部と、
前記第１の蓄電部を充電可能に設けられた発電部と、
を備えることを特徴とする情報表示装置。
＜請求項２＞
前記発電部には、前記第１の表示部により表示動作が行われる期間に前記第１の蓄電部に通電可能とされる充電切替部が設けられていることを特徴とする請求項１記載の情報表示装置。
＜請求項３＞
前記充電切替部は、通電可能か否かの切替制御に係る信号が入力されない状態では通電可能状態となるスイッチング素子であることを特徴とする請求項２記載の情報表示装置。
＜請求項４＞
前記表示切替部は、前記第１の表示部が表示動作を行う場合に前記第２の表示部による表示動作を停止させることを特徴とする請求項１〜３の何れか一項に記載の情報表示装置。
＜請求項５＞
前記表示切替部は、前記第１の表示部と前記第２の表示部のうち何れかにより選択的に表示動作を行わせることを特徴とする請求項４記載の情報表示装置。
＜請求項６＞
前記第１の表示部による表示動作と前記第２の表示部による表示動作とを制御する制御部を備えることを特徴とする請求項１〜５の何れか一項に記載の情報表示装置。
＜請求項７＞
前記制御部は、
前記第１の表示部の表示動作を制御する第１の制御部と、前記第２の表示部の表示動作を制御する第２の制御部と、を有し、
前記第１の制御部により前記第１の表示部に表示動作を行わせる場合には、前記第２の制御部の動作を停止して、前記第２の表示部による表示動作を停止させる、
ことを特徴とする請求項６記載の情報表示装置。
＜請求項８＞
前記第１の制御部は、前記第１の表示部に所定の内容の表示動作を行わせ、
当該所定の内容の表示動作の制御に係る前記第１の制御部の消費電力は、前記第２の表示部により前記所定の内容に対応する内容の表示動作を行わせる場合における前記第２の制御部の制御動作に係る消費電力よりも小さい
ことを特徴とする請求項７記載の情報表示装置。
＜請求項９＞
前記電力供給部は、外部電源から電力供給を受けているか否かを検出する電力入力検出部を備え、
前記表示切替部は、前記第１の表示部による表示動作中に当該電力入力検出部が前記外部電源からの電力供給を受けていることを検出した場合、前記第２の表示部による表示動作に切り替える
ことを特徴とする請求項１〜８の何れか一項に記載の情報表示装置。
＜請求項１０＞
外部操作を受け付ける操作受付部を備え、
前記表示切替部は、前記操作受付部により受け付けられた操作内容に基づいて前記第１の表示部と前記第２の表示部とによる表示動作を切り替える
ことを特徴とする請求項１〜９の何れか一項に記載の情報表示装置。
＜請求項１１＞
前記電力供給部は、
外部電源から電力供給を受けることが可能であり、
当該外部電源から供給された電力により前記第１の蓄電部を充電可能とするか否かを切り替える充電選択部を備える
ことを特徴とする請求項１〜１０の何れか一項に記載の情報表示装置。
＜請求項１２＞
前記電力供給部は、外部電源から電力供給を受けることが可能であり、
前記第１の蓄電部は、前記外部電源から電力供給を受けている間には、当該外部電源からの入力電圧よりも前記発電部による起電力が大きい場合に、当該発電部の発電した電力により充電される
ことを特徴とする請求項１〜１０の何れか一項に記載の情報表示装置。
＜請求項１３＞
少なくとも前記第２の表示部の動作に利用される電力を蓄える第２の蓄電部を備え、
前記電力供給部は、外部電源から電力供給を受けることが可能であり、
前記第２の蓄電部は、前記外部電源から供給された電力により充電可能である
ことを特徴とする請求項１〜１０の何れか一項に記載の情報表示装置。
＜請求項１４＞
前記電力供給部は、前記第１の蓄電部が蓄えている電力を前記第２の蓄電部に供給する第１の送電経路を有することを特徴とする請求項１３記載の情報表示装置。
＜請求項１５＞
前記電力供給部は、前記第１の蓄電部の出力電圧が前記第２の蓄電部の出力電圧よりも所定電位差以上高い場合に、前記第１の蓄電部が蓄えている電力を前記第２の蓄電部に供給して当該第２の蓄電部を充電させる電位差判定部を有することを特徴とする請求項１４記載の情報表示装置。
＜請求項１６＞
前記電力供給部は、前記第１の蓄電部の出力電圧を検出する電圧検出部を有し、当該電圧検出部の検出する電圧が所定の下限電圧以上である場合に、前記第１の蓄電部が蓄えている電力を前記第２の蓄電部に供給して前記第２の蓄電部を充電可能とすることを特徴とする請求項１４又は１５記載の情報表示装置。
＜請求項１７＞
前記電力供給部は、前記第２の表示部による表示動作が停止されている期間に前記第１の蓄電部が蓄えている電力を前記第２の蓄電部に供給して当該第２の蓄電部を充電することを特徴とする請求項１４〜１６の何れか一項に記載の情報表示装置。
＜請求項１８＞
前記電力供給部は、前記第２の蓄電部が蓄えている電力を前記第１の蓄電部に供給する第２の送電経路を有することを特徴とする請求項１３〜１７の何れか一項に記載の情報表示装置。
＜請求項１９＞
前記電力供給部は、前記第２の蓄電部の出力電圧が前記第１の蓄電部の出力電圧及び前記発電部による起電力よりも大きい場合に、前記第２の蓄電部の蓄えている電力を前記第１の蓄電部に供給して当該第１の蓄電部を充電することを特徴とする請求項１８記載の情報表示装置。
＜請求項２０＞
前記発電部は、入射光量に応じた発電を行う発電パネルを備えることを特徴とする請求項１〜１９の何れか一項に記載の情報表示装置。
＜請求項２１＞
前記第１の表示部及び前記第２の表示部は、デジタル表示を行う表示画面をそれぞれ有することを特徴とする請求項１〜２０の何れか一項に記載の情報表示装置。
＜請求項２２＞
前記第１の表示部の表示画面と、前記第２の表示部の表示画面とは積層されていることを特徴とする請求項２１記載の情報表示装置。
【符号の説明】
【０１５３】
１、１ａ〜１ｋ       電子機器
１１   第１制御部
１１１ サブＣＰＵ
１１２ ＲＡＭ
１１３ 記憶部
１２、１２ｂ  第１表示部
１２１ 表示画面
１２２ 駆動回路
１２２ｂ      抵抗素子
１５   ＲＴＣ
２１   第２制御部
２１ｂ 抵抗素子
２１ｃ 駆動制御部
２１１ メインＣＰＵ
２１２ ＲＡＭ
２１３ 記憶部
２２   第２表示部
２２１ 表示画面
２２２ 駆動回路
３１、３１ａ、３１ｃ、３１ｅ〜３１ｋ      電力供給部
３１１、３１１ａ、３１１ｅ  蓄電部
３１１ｇ１    第１蓄電部
３１１ｇ２    第２蓄電部
３１２ 電力供給スイッチ
３１３、３１３ｉ     電圧検出器
３１４ 入力検出部
３１５、３１５ｆ     ダイオード
３１６、３１６ｆ、３１６ｉ  送流切替スイッチ
３１７ 電流検出器
３１８ ツェナーダイオード
３２   発電部
３２１ ソーラパネル
３２２ 接続スイッチ
３２３ ダイオード
４１   操作受付部
４２   機能動作部
【図１】
2018044995.tif 000003
【図２】
2018044995.tif 000004
【図３】
2018044995.tif 000005
【図４】
2018044995.tif 000006
【図５】
2018044995.tif 000007
【図６】
2018044995.tif 000008
【図７】
2018044995.tif 000009
【図８】
2018044995.tif 000010
【図９】
2018044995.tif 000011
【図１０】
2018044995.tif 000012
【図１１】
2018044995.tif 000013
【図１２】
2018044995.tif 000014
【図１３】
2018044995.tif 000015
【図１４】
2018044995.tif 000016
【図１５】
2018044995.tif 000017
【図１６】
2018044995.tif 000018
【図１７】
2018044995.tif 000019
【図１８】
2018044995.tif 000020
【図１９】
2018044995.tif 000021